(57)【要約】      （修正有）【課題】柄部と作動部とが支軸によって回動可能に軸装された折りたたみ式工具において、柄部と作動部との係止関係を片手で容易に行える折りたたみ式工具を提供する。【解決手段】作動部２を収納可能な収納部３を備えた柄部１と作動部２とが支軸によって回動可能に軸装された折りたたみ式工具において、支軸は柄部の一側面から前記作動部を貫通しなおかつ前記柄部側からの回動を進行する方向にねじ山がきられ所定位置で前記柄部側からの回動を規制するねじ山が切られた両ネジボルト４であり、そして柄部１の作動部側上端面には作動部２の上側後端面と当接する位置を柄部１と作動部２とが係止関係となるように調整する当接位置調整部材５が設けられている。【選択図】図１
0003180982.tif 000002
【実用新案登録請求の範囲】
【請求項１】
作動部を収納可能な収納部を備えた柄部と作動部とが支軸によって回動可能に軸装された折りたたみ式工具であって、前記支軸は柄部の一側面から前記作動部を貫通しなおかつ前記柄部側からの回動を進行する方向にねじ山がきられ所定位置で前記柄部側からの回動を規制するねじ山が切られた両ネジボルトであり、そして
前記柄部の作動部側上端面には前記作動部の上側後端面と当接する位置を前記柄部と前記作動部とが係止関係となるように調整する当接位置調整部材が設けられていることを特徴とする折りたたみ式工具。
【請求項２】
前記支軸による柄部に対する作動部の回動機構は、柄部の作動部側端部と、作動部を固定するための第１の固定部と前記第１の固定部を固定する第２の固定部とに貫通孔を設け、前記貫通孔に前記両ネジボルトを貫通させ前記両ネジボルトを固定手段により固定することにより形成したことを特徴とする請求項１に記載の折りたたみ式工具。
【請求項３】
前記当接位置調整部材は、前記柄部の作動部側の上端部に進退調整可能に設けられた当接部材であり、前記当接部材の進退により前記柄部と前記作動部の当接位置を調整することを特徴とする請求項１または請求項２に記載の折りたたみ式工具。
【請求項４】
前記折りたたみ式工具は、鋸、ナイフまたは剃刀であることを特徴とする請求項１から請求項３のいずれか１項に記載の折りたたみ式工具。
【考案の詳細な説明】
【技術分野】
【０００１】
本考案は、折りたたみ式工具に関する。より詳しく述べると柄部と作動部とが支軸によって回動可能に軸装された折りたたみ式工具に関する。
【背景技術】
【０００２】
従来、鋸、ナイフ、剃刀等のいわゆる刃物類を中心に種々の折りたたみ式工具が広く普及している。
【０００３】
例えば、特許文献１には図４に示すような柄部と作動部である鋸刃とが支軸によって回動可能に軸装された折りたたみ式工具である折りたたみ式鋸が開示されている。特許文献１では把持部１０１と作動部１０２とが支軸によって回動可能に軸装され、鋸刃のロック／解除を行うための比較的大きい鋸刃咬止ロックを設けた折りたたみ式鋸が記載されている。
【０００４】
また、特許文献２には、「従来技術の折りたたみ刃物は、柄の側板部の前部内面と刃部の基部の間に、柄の回動を一定の位置で固定するための凹凸による係止機構は存在したが、柄を回動している間は凸部は凹部から外れるために支軸の周囲に強い応力が発生して柄の回動が滑らかに行われなかった。」とある。
【０００５】
そのため、特許文献２は少ない力で柄を円滑に回動できる折りたたみ式刃物を提供することを目的として、図５に示すような柄２０１と刃部２０２が支軸によって回動可能に軸着され（図５（ａ）参照）、柄は両側板部２０４，２０４（図５（ｂ）参照）を有し、該両側版部の前部に前記刃部の基部１０が挟まれていて、刃部２は柄に対して折りたたみむことができ（図５（ｃ）参照）、前記側板部２０４，２０４の前部内面と、それに当接する刃部の基部１０とのいずれか一方に凸部を、他方に凹部を形成して凹凸関係の係止により刃部２０２が柄に対して一定の位置で固定できるようになっている折りたたみ式刃物を開示している。
【０００６】
そして、この折りたたみ式刃物は、柄２０１の軸孔２０８を中心にして前記凹部と凸部による係止部分の内寄りに軸孔２０８の周りに沿って、切除部２０９が柄２０１の側板部４に形成されている（図５（ｄ）および５（ｅ）参照）。
【０００７】
特許文献２は、このように切除部２０９を設けることにより軸孔２０８の外側にある幅狭部１３は切除部２０９がない場合と比較して撓みやすくなり、幅狭部２１３が容易に撓んで外側に広がるので、刃部の回動が円滑に行われる効果があると記載している。
【先行技術文献】
【特許文献】
【０００８】
【特許文献１】特開特開２００２−３７０２０５号公報
【特許文献２】特公昭６３−４７４７４号公報
【考案の概要】
【考案が解決しようとする課題】
【０００９】
このような折りたたみ工具は、例えば脚立等に載り高所で操作する場合がある。そのため、安全のために常に片手は脚立等をおさえて作業する必要がある。
【００１０】
特許文献１では、比較的大きい鋸刃咬止ロックを設けることにより、柄部と刃部の係止解除を容易にできる機構となっているが、柄部に対して比較的大きい鋸刃咬止ロックを設けることにより強度的問題がある。また、このような折りたたみ式工具の柄部と刃部との係止関係の解除は、片手でできないことはないが、片手での係止関係の解除は相当の注意を要する。
【００１１】
また、特許文献２では柄部と刃部の係止解除を円滑に行うものであるが、片手で柄部と刃部係止関係の解除はできない。
【００１２】
従って、本考案の課題は、柄部と作動部とが支軸によって回動可能に軸装された折りたたみ式工具において、柄部と作動部との係止関係を片手で容易に行える折りたたみ式工具を提供することである。
【課題を解決するための手段】
【００１３】
上記課題を解決する本考案は、作動部を収納可能な収納部を備えた柄部と作動部とが支軸によって回動可能に軸装された折りたたみ式工具であって、前記支軸は柄部の一側面から前記作動部を貫通しなおかつ前記柄部側からの回動を進行する方向にねじ山がきられ所定位置で前記柄部側からの回動を規制するねじ山が切られた両ネジボルトであり、そして
前記柄部の作動部側上端面には前記作動部の上側後端面と当接する位置を前記柄部と前記作動部とが係止関係となるように調整する当接位置調整部材が設けられていることを特徴とする折りたたみ式工具である。
【００１４】
本考案の折りたたみ式工具において、前記支軸による柄部に対する作動部の回動機構は、柄部の作動部側端部と、作動部を固定するための第１の固定部と前記第１の固定部を固定する第２の固定部とに貫通孔を設け、前記貫通孔に前記両ネジボルトを貫通させ前記両ネジボルトを固定手段により固定することにより形成することが好ましい。
【００１５】
本考案の折りたたみ式工具において、前記当接位置調整部材は、前記柄部の作動部側の上端部に進退調整可能に設けられた当接部材であり、前記当接部材の進退により前記柄部と前記作動部の当接位置を調整することができる。
【００１６】
また、本考案の折りたたみ式工具は、鋸、ナイフまたは剃刀であること、すなわち、折りたたみ式鋸、折りたたみ式ナイフまたは折りたたみ式剃刀であることができる。
【考案の効果】
【００１７】
本考案によると支軸として、作動部の回動を規制する両ネジボルトを使用し、一方作動部側上端面には前記作動部の上側後端面と当接する位置を前記柄部と前記作動部とが係止関係となるように調整する当接位置調節部材が使用されているので、回動の規制と柄部と作動部との当接関係により柄部と作動部との係止関係を形成することができる。
【００１８】
また、この係止関係は、作動部の上端を軽く押すことによって解除できる。そのため容易に片手で回動させ作動部を柄部内に収納することができる。従って、高所での作業等においても確実に作業が可能となる。
【図面の簡単な説明】
【００１９】
【図１】本考案の折りたたみ式工具の一実施形態を示す図面であり、(ａ)は収納時（ｂ）は使用時の状態を示す。
【図２】図１の支軸を示す図面である。
【図３】図１の係止調整部材の動作を示す図面である。
【図４】従来技術の折りたたみ工具の一例を示す図面である。
【図５】従来技術の折りたたみ工具の別の一例を示す図面である。
【考案を実施するための形態】
【００２０】
以下、本考案の折りたたみ工具について図１から図３に基づいて本考案の折りたたみ工具について説明する。
【００２１】
図１に示す通り、本考案の折りたたみ工具は、作動部２（本実施形態では鋸の刃）を収納可能な収納部３を備えた柄部１と作動部２とが支軸４によって回動可能に軸装された折りたたみ式工具である。
【００２２】
本考案において使用できる柄部１は、当該技術分野で周知な材料、例えば木材やプラスチック材料で、未使用時に作動部を収納できるものであれば特に限定されない。また、柄部１に設ける収納部３は作用部２を収納するための空間を構成できれば特に限定されず、２枚の板材を離間配置して、例えばボルト等により２枚の板材を締結することにより収納部３を構成しることができ、また柄部１に作動部２を収納できるような溝をほってもよい。
【００２３】
また、作動部２は目的に応じて各種の工具用の作動部２を適宜選択して適用することができる。すなわち、柄部１の収納部３から所定位置まで回動し固定することによって種々の折りたたみ式工具を構成することができる。例えば、作動部２に鋸の歯を適用して折りたたみ式鋸や折りたたみ式ナイフ、折りたたみ式剃刀などを構成することが可能である。
【００２４】
そして、本考案の特徴は、支軸４として柄部に対する作動部として所定の両ネジボルト当接位置調整部材５を採用した点にある。
【００２５】
すなわち、図２に示す通り、支軸として柄部の一側面から前記作動部を貫通しなおかつ前記柄部側からの回動を進行する方向にねじ山がきられ所定位置で前記柄部側からの回動を規制するねじ山が切られた両ネジボルトボルト４を採用した。
【００２６】
この両ネジボルトは、一直線棒状のネジボルトであり、柄部１の収納部側から係止側への回動（例えば、本実施形態では半時計周りの回動）を進行する方向（例えば、本実施形態では時計回り）にネジ山が切られており、途中から逆方向にねじ山が切られた両ネジボルトである。
【００２７】
このような所定の両ネジボルト４を採用することにより回動範囲が制限されることと成る。すなわち、柄部１に対して作動部２を回動させると、回動当初は回動方向に両ネジボルト４は回動することとなる（回動）。そしてある程度まで回動が進むと所定の両ネジボルト４のネジ山は回動方向から回動とは逆方向に移行する。そのため、回動は停止することとなる。そのため、本考案による折りたたみ式工具の柄部１に対する作動部２の回動が規制されることとなる。
【００２８】
この両ネジボルト４を用いたによる柄部１に対する作動部２の回動機構は、柄部１の作動部２側端部と、作動部２を固定するための第１の固定部６と第１の固定部６を固定する第２の固定部７とに貫通孔を設け、この貫通孔に両ネジボルト４を貫通させ両ネジボルト４を固定手段、例えばナットにより固定することにより形成することができる。
【００２９】
また、図３に示す通り、柄部１の作動部２側上端面には作動部２の上側後端面と当接する位置を柄部１と作動部２とが係止関係となるように調整する当接位置調整部材５を設けている。
【００３０】
すなわち、所定の両ネジボルト４を支軸として回動範囲が規制された本考案の折りたたみ式工具は、柄部１と作動部２との当接位置を微調整することにより柄部１と作動部２との間で作動部２の使用上問題ない範囲で係止関係を作ることができる。
【００３１】
一方、従来技術のようにロック・解除機構を設けなくとも、この柄部１と作動部２との関係は、容易に片手で解消することができる。
【００３２】
より具体的には、例えば本考案の折りたたみ式工具が図１から図３に示す折りたたみ式鋸であり、脚立等に乗り考案の折りたたみ式鋸で高所の木の枝の選定作業をおこなっている場合、作動部２である鋸の刃の反対側（頂部側）を樹木等で軽く叩くとこの係止関係は解除され鋸の刃は柄部１の収納部３側へと回動する。このような作業は、脚立を一方の手で押さえながらもう一方の手で行うことができる。
【００３３】
このような当接位置調整部材５は、柄部１の作動部２側の上端部に進退調整可能に設けられた当接部材であり、前記当接部材の進退により前記柄部と前記作動部の当接位置を調整する部材であり、図３に示す通り、垂直方向に回転する部材により垂直方向に進退するネジ部材により構成することができる。
【００３４】
以上説明した通り、本考案の折りたたみ式工具は、支軸として、作動部の回動を規制する両ネジボルトを使用し、一方作動部側上端面には前記作動部の上側後端面と当接する位置を前記柄部と前記作動部とが係止関係となるように調整する当接位置調節部材が使用されているので、回動の規制と柄部と作動部との当接関係により柄部と作動部との係止関係を形成することができる。
【００３５】
また、この係止関係は、作動部の上端を軽く押すことによって解除できる。そのため容易に片手で回動させ作動部を柄部内に収納することができる。従って、高所での作業等においても確実に作業が可能となる。
【００３６】
また、本考案の折りたたみ式工具は、前記折りたたみ式鋸の他、折りたたみ式ナイフや折りたたみ式剃刀等に適用できることに、加えて、従来高所等で適用できなかった工具を、折りたたみ式工具にして小型化を図ることができる。このような工具として、例えば折りたたみ式やすりや折りたたみ式キリなどが想定できる。
【産業上の利用可能性】
【００３７】
本考案によると支軸として、作動部の回動を規制する両ネジボルトを使用し、一方作動部側上端面には前記作動部の上側後端面と当接する位置を前記柄部と前記作動部とが係止関係となるように調整する当接位置調節部材が使用されているので、回動の規制と柄部と作動部との当接関係により柄部と作動部との係止関係を形成することができる。
【００３８】
また、この係止関係は、作動部の上端を軽く押すことによって解除できる。そのため容易に片手で回動させ作動部を柄部内に収納することができる。従って、高所での作業等においても確実に作業が可能となる。
【００３９】
また、本考案の折りたたみ式工具は、前記折りたたみ式鋸の他、折りたたみ式ナイフや折りたたみ式剃刀等に適用できることに、加えて、従来高所等で適用できなかった工具を、折りたたみ式工具にして小型化を図ることができる。このような工具として、例えば折りたたみ式やすりや折りたたみ式キリなどが想定できる。
【符号の説明】
【００４０】
１  柄部
２  作用部
３  収納部
４  両ネジボルト
５  当接位置収納部材
６  第１の固定部
７  第２の固定部
【図１】
0003180982.tif 000003
【図２】
0003180982.tif 000004
【図３】
0003180982.tif 000005
【図４】
0003180982.tif 000006
【図５】
0003180982.tif 000007